(57)【要約】【課題】指と指の間にある水かきよりも、指の根元にまで、指輪をはめることができる指輪を提供する。【解決手段】指輪１は、第一曲面１０ａを有する第一曲面部１０と、第二曲面２０ａを有する第二曲面部２０と、第一曲面部１０に設けられた装飾部３０とを備える。しかも、第一曲面１０ａの端部１０ｂ、１０ｃが、第二曲面２０ａの端部２０ｂ、２０ｃに結合する。また、第二曲面部２０が第一曲面部２０に対して傾斜している。第二曲面部２０よりも第一曲面部１０を上方に突出させたときに、第一曲面部１０において最も上に位置する頂部１０ｄに装飾部３０が位置する。頂部１０ｄおよび装飾部３０を、手の甲側に向けて、はめると、指と指の間にある水かきよりも、指の根元にまで、指輪１をはめることができる。【選択図】図１
2011098159.tif 000002
【特許請求の範囲】
【請求項１】
第一曲面を有する第一曲面部と、
第二曲面を有する第二曲面部と、
前記第一曲面部に設けられた装飾部と、
を備え、
前記第一曲面の端部が、前記第二曲面の端部に結合し、
前記第二曲面部が前記第一曲面部に対して傾斜しており、
前記第二曲面部よりも前記第一曲面部を上方に突出させたときに、前記第一曲面部において最も上に位置する頂部に前記装飾部が位置する、
指輪。
【請求項２】
請求項１に記載の指輪であって、
前記第一曲面および前記第二曲面が二つの端部を有し、
前記第一曲面の二つの端部のそれぞれが、前記第二曲面の二つの端部のそれぞれに結合する、
指輪。
【請求項３】
請求項１に記載の指輪であって、
前記頂部における前記第一曲面の接線方向とは垂直な向きに、前記装飾部が向けられている、
指輪。
【請求項４】
凹部と、装飾部とを有する指輪であって、
指にはめる方向とは垂直な方向から見たときに、前記凹部の幅が、指にはめる方向に向かって狭くなっていき、
指にはめる方向とは垂直な方向から見たときに、前記凹部の幅が最大になっている部分に、前記装飾部が位置する、
指輪。
【請求項５】
第一曲面を有する第一曲面部と、
第二曲面を有する第二曲面部と、
を備え、
前記第一曲面の端部が、前記第二曲面の端部に結合し、
前記第二曲面部が前記第一曲面部に対して傾斜している、指輪。
【請求項６】
凹部を有する指輪であって、
指にはめる方向とは垂直な方向から見たときに、前記凹部の幅が、指にはめる方向に向かって狭くなっていく、
指輪。
【請求項７】
請求項５に記載の指輪を指にはめる方法であって、
前記第二曲面部を水平に置いて前記第一曲面部を上方に突出させたときに、前記第一曲面部において最も上に位置する頂部を、手の甲側にして、
指輪を指にはめる方法。
【請求項８】
請求項６に記載の指輪を指にはめる方法であって、
指にはめる方向とは垂直な方向から見たときに、前記凹部の幅が最大になっている部分を、手の甲側にして、
指輪を指にはめる方法。
【発明の詳細な説明】
【技術分野】
【０００１】
本発明は指輪に関する。
【背景技術】
【０００２】
従来より、リング状の指輪が知られている。しかも、リングに、リングと交差するアームを取り付けた指輪もまた知られている（例えば、特許文献１、特許文献２、特許文献３および特許文献４を参照）。
【先行技術文献】
【特許文献】
【０００３】
【特許文献１】特開２００１−７００１６号公報
【特許文献２】特開２００１−７００１７号公報
【特許文献３】特開２００４−４４９号公報
【特許文献４】登録実用新案第３０４９０２９号公報
【発明の概要】
【発明が解決しようとする課題】
【０００４】
ところで、指の根元にまで、上記の従来技術のような指輪をはめようとすると、指と指の間にある、皮膚や靭帯などからなる薄い組織（以下、「水かき」という）に、ぶつかってしまう。
【０００５】
そこで、本発明は、指と指の間にある水かきよりも、指の根元にまで、指輪をはめることができる指輪を提供することを課題とする。
【課題を解決するための手段】
【０００６】
本発明にかかる第一の指輪は、第一曲面を有する第一曲面部と、第二曲面を有する第二曲面部と、前記第一曲面部に設けられた装飾部と、を備え、前記第一曲面の端部が、前記第二曲面の端部に結合し、前記第二曲面部が前記第一曲面部に対して傾斜しており、前記第二曲面部よりも前記第一曲面部を上方に突出させたときに、前記第一曲面部において最も上に位置する頂部に前記装飾部が位置するように構成される。
【０００７】
上記のように構成された第一の指輪によれば、第一曲面部が、第一曲面を有する。第二曲面部が、第二曲面を有する。装飾部が、前記第一曲面部に設けられている。前記第一曲面の端部が、前記第二曲面の端部に結合する。前記第二曲面部が前記第一曲面部に対して傾斜している。前記第二曲面部よりも前記第一曲面部を上方に突出させたときに、前記第一曲面部において最も上に位置する頂部に前記装飾部が位置する。
【０００８】
なお、本発明にかかる第一の指輪は、前記第一曲面および前記第二曲面が二つの端部を有し、前記第一曲面の二つの端部のそれぞれが、前記第二曲面の二つの端部のそれぞれに結合するようにしてもよい。
【０００９】
なお、本発明にかかる第一の指輪は、前記頂部における前記第一曲面の接線方向とは垂直な向きに、前記装飾部が向けられているようにしてもよい。
【００１０】
本発明にかかる第二の指輪は、凹部と、装飾部とを有する指輪であって、指にはめる方向とは垂直な方向から見たときに、前記凹部の幅が、指にはめる方向に向かって狭くなっていき、指にはめる方向とは垂直な方向から見たときに、前記凹部の幅が最大になっている部分に、前記装飾部が位置するように構成される。
【００１１】
上記のように構成された、凹部と、装飾部とを有する第二の指輪によれば、指にはめる方向とは垂直な方向から見たときに、前記凹部の幅が、指にはめる方向に向かって狭くなっていく。指にはめる方向とは垂直な方向から見たときに、前記凹部の幅が最大になっている部分に、前記装飾部が位置する。
【００１２】
本発明は、第一曲面を有する第一曲面部と、第二曲面を有する第二曲面部と、を備え、前記第一曲面の端部が、前記第二曲面の端部に結合し、前記第二曲面部が前記第一曲面部に対して傾斜している第三の指輪である。
【００１３】
本発明は、凹部を有する指輪であって、指にはめる方向とは垂直な方向から見たときに、前記凹部の幅が、指にはめる方向に向かって狭くなっていく第四の指輪である。
【００１４】
本発明は、第三の指輪を指にはめる方法であって、前記第二曲面部を水平に置いて前記第一曲面部を上方に突出させたときに、前記第一曲面部において最も上に位置する頂部を、手の甲側にして指輪を指にはめる方法である。
【００１５】
本発明は、第四の指輪を指にはめる方法であって、指にはめる方向とは垂直な方向から見たときに、前記凹部の幅が最大になっている部分を、手の甲側にして指輪を指にはめる方法である。
【図面の簡単な説明】
【００１６】
【図１】第一の実施形態にかかる指輪１の平面図（図１（ａ））、正面図（図１（ｂ））、第二曲面部２０を水平に置いて前記第一曲面部を上方に突出させたときの正面図（図１（ｃ））である。
【図２】指輪１のII−II断面図（図１（ａ）参照）である。
【図３】指輪１のIII−III断面図（図１（ａ）参照）である。
【図４】第一の実施形態にかかる指輪１をはめる指２の一例を示す図である。
【図５】普通のリング１００を、指２にはめたときの図である。
【図６】指輪１を指２にはめたときに、指２を水かき２ａの方から見た側面図である。
【図７】指輪１を指２にはめたときに、指２を手の甲側から見た平面図である。
【図８】第一の実施形態にかかる指輪１における第一曲面部１０および第二曲面部２０の形状の変形例を示す図である。
【図９】第二の実施形態にかかる指輪１の正面図である。
【図１０】第二の実施形態にかかる指輪１の平面図である。
【発明を実施するための形態】
【００１７】
以下、本発明の実施形態を図面を参照しながら説明する。
【００１８】
第一の実施形態
図１は、第一の実施形態にかかる指輪１の平面図（図１（ａ））、正面図（図１（ｂ））、第二曲面部２０を水平に置いて前記第一曲面部を上方に突出させたときの正面図（図１（ｃ））である。ただし、図１（ｃ）のような態様で指輪１を使用するわけではない（使用態様は図６および図７を参照）。
【００１９】
図２は、指輪１のII−II断面図（図１（ａ）参照）である。図３は、指輪１のIII−III断面図（図１（ａ）参照）である。
【００２０】
第一の実施形態にかかる指輪１は、第一曲面部１０、第二曲面部２０、装飾部３０を備える。
【００２１】
第一曲面部１０は、第一曲面１０ａを有する。第二曲面部２０は、第二曲面２０ａを有する。装飾部３０は、第一曲面部１０に設けられている。なお、第一曲面部１０および第二曲面部２０は、通常のリングを半分に切断したような半円形に似た形状である。
【００２２】
第一曲面１０ａは、二つの端部１０ｂ、１０ｃを有する（図２参照）。第二曲面２０ａが、二つの端部２０ｂ、２０ｃを有する（図３参照）。
【００２３】
第一曲面１０ａの二つの端部１０ｂ、１０ｃのそれぞれが、第二曲面２０ａの二つの端部２０ｂ、２０ｃのそれぞれに結合する。すなわち、端部１０ｂが端部２０ｂと結合し、端部１０ｃが端部２０ｃと結合する。
【００２４】
第二曲面部２０が第一曲面部１０に対して傾斜している。傾斜しているというのは、図１（ｂ）、（ｃ）における角度θが、１８０度未満ということである。θ＝１８０度では、単なるリングになってしまうが、θが１８０度未満なので、第一の実施形態にかかる指輪１は、単なるリングとは異なる。
【００２５】
ここで、仮に、図１（ｃ）に示すように、第二曲面部２０を水平に置いて、第一曲面部１０を上方に突出させたとする。このときに、第一曲面部１０において最も上に位置する部分を頂部１０ｄという。頂部１０ｄは、図１（ａ）において、第一曲面部１０の最も右側に位置する部分といえる。頂部１０ｄに装飾部３０が位置する。装飾部３０は、例えば、宝石、貴金属、真珠などにより装飾を施したものである。なお、図１においては、装飾部３０が頂部１０ｄとは別体である。ただし、装飾部３０が頂部１０ｄと一体であってもよい。例えば、装飾部３０が、鋳造、彫刻または絵画などにより頂部１０ｄに装飾を施したものであってもよい。
【００２６】
頂部１０ｄにおける、第一曲面１０ａの接線Ｔ（図１（ａ）参照）の方向とは垂直な向きに、装飾部３０が向けられている。なお、装飾部３０の向きは、装飾部３０の装飾面３２（図７参照）の法線方向Ｎ（図１（ａ）参照）である。
【００２７】
次に、第一の実施形態にかかる指輪１を指にはめるときの態様を説明する。
【００２８】
図４は、第一の実施形態にかかる指輪１をはめる指２の一例を示す図である。なお、指２としては、一例として、右手薬指を想定している。ただし、第一の実施形態にかかる指輪１は、右手薬指専用というわけではなく、どの指にもはめることができる。図４は、指２を手の甲側から見た図である。指２（右手薬指）の左右には中指３、小指４がある（先端部分は図示省略）。指２（右手薬指）と中指３の間には、水かき２ａ（皮膚や靭帯などからなる薄い組織）がある。指２（右手薬指）と小指４の間には、水かき２ｂがある。
【００２９】
図５は、普通のリング１００を、指２にはめたときの図である。図５は、第一の実施形態そのものではなく、第一の実施形態の比較例である。普通のリング１００は、水かき２ａ、２ｂにぶつかり、それ以上は、奥に進入できない。
【００３０】
第一の実施形態にかかる指輪１を指２にはめる場合、頂部１０ｄおよび装飾部３０の装飾面３２を手の甲側にし（装飾面３２が手の甲側から見える）、しかも、端部１０ｂ（２０ｂ）および端部１０ｃ（２０ｃ）が、頂部１０ｄよりも、指先側にくるように、はめる。
【００３１】
図６は、指輪１を指２にはめたときに、指２を水かき２ａの方から見た側面図である。図７は、指輪１を指２にはめたときに、指２を手の甲側から見た平面図である。
【００３２】
端部１０ｃ（２０ｃ）が水かき２ａの最高点（より正確には、最も指先側の点）の近傍にぶつかるものの、装飾部３０が端部１０ｃ（２０ｃ）よりも低くなるため、装飾部３０が指２の根元に深く進入していく（図５よりも、指２の根元に深く進入している）。
【００３３】
同様に、端部１０ｂ（２０ｂ）も水かき２ｂの最高点の近傍にぶつかるものの、装飾部３０が端部１０ｂ（２０ｂ）よりも低くなるため、装飾部３０が指２の根元に深く進入していく（図５よりも、指２の根元に深く進入している）。
【００３４】
第一の実施形態によれば、第二曲面部２０が第一曲面部１０に対して傾斜し、しかも、頂部１０ｄに装飾部３０を配置した。これにより、装飾部３０を手の甲側に向けて、指輪１を指２に、はめれば、装飾部３０が水かき２ａ、２ｂよりも、指２の根元に深く進入していく。これは、指２を長く見せるなどの美観上の優れた効果を奏する。
【００３５】
なお、特開２００１−７００１７号公報（特許文献２）の図８（ｂ）、図８（ｄ）、登録実用新案第３０４９０２９号公報（特許文献４）の図４（ｂ）、図４（ｄ）は、一見すると、第一の実施形態にかかる指輪１に似ているように見える。しかし、これらの従来技術の指輪においては、頂部１０ｄに装飾部３０を配置されていない点が、第一の実施形態にかかる指輪１と異なる。このため、これらの従来技術の指輪は、頂部１０ｄを手の甲側に向けることができない。強いて向ければ、装飾部が手の甲側にこないので、装飾効果が減退してしまう。よって、頂部１０ｄおよび装飾部３０を手の甲側に向けて、指輪を指２の根元に深く進入させるということが、従来技術の指輪では、できない。
【００３６】
なお、第一の実施形態にかかる指輪１における第一曲面部１０および第二曲面部２０は、通常のリングを半分に切断したようなものであるとして、説明してきた。しかし、第一曲面部１０および第二曲面部２０の形状は、それに限らない。
【００３７】
図８は、第一の実施形態にかかる指輪１における第一曲面部１０および第二曲面部２０の形状の変形例を示す図である。ただし、図８（ａ）、図８（ｂ）、図８（ｃ）はいずれも正面図である。
【００３８】
図８（ａ）に示すように、第一曲面部１０および第二曲面部２０が正面から見て曲線状でもよい。図８（ｂ）に示すように、第一曲面部１０および第二曲面部２０が正面から見て波打っていてもよい。図８（ｃ）に示すように、第二曲面部２０が複数あってもよい。
【００３９】
第二の実施形態
図９は、第二の実施形態にかかる指輪１の正面図である。図１０は、第二の実施形態にかかる指輪１の平面図である。なお、図９には、上部に切り込みが無い指輪１（図９（ａ））、上部に切り込みがある指輪１（図９（ｂ））を図示している。いずれにせよ、第二の実施形態にかかる指輪１であることにかわりはない。
【００４０】
第二の実施形態にかかる指輪１は装飾部３０、凹部４０を有する。
【００４１】
第二の実施形態にかかる指輪１を正面（指２にはめる方向とは垂直な方向：図９において紙面に垂直な方向）から見たときに、凹部４０の幅は、指にはめる方向に向かって狭くなっていく。例えば、図９（ａ）、図９（ｂ）においては、最も下において、幅が最大値Wmaxとなるが、上に行くに従って、幅が狭くなり、点４０ａにおいては、幅が０となる。
【００４２】
しかも、凹部４０の幅が最大になっている部分４０ｂ（すなわち、凹部４０の幅が最大値Wmaxとなる点Ｐを含んだ上下方向の直線）に、装飾部３０が位置する。
【００４３】
第二の実施形態にかかる指輪１を指にはめるときの態様は、第一の実施形態と同様であり説明を省略する。なお、第一の実施形態と同様に、部分４０ｂおよび装飾部３０の装飾面３２を手の甲側にし（装飾面３２が手の甲側から見える）、しかも、点４０ａが、点Ｐよりも、指先側にくるように、はめる。
【００４４】
第二の実施形態によれば、第一の実施形態と同様な効果を奏する。
【符号の説明】
【００４５】
１  指輪
２  指（右手薬指）
２ａ、２ｂ  水かき
３  中指
４  小指
１０  第一曲面部
１０ａ  第一曲面
１０ｂ、１０ｃ  端部
１０ｄ  頂部
２０  第二曲面部
２０ａ  第二曲面
２０ｂ、２０ｃ  端部
３０  装飾部
３２  装飾面
４０  凹部
４０ａ  凹部４０の幅が０となる点
４０ｂ  凹部４０の幅が最大になっている部分
Ｐ  凹部４０の幅が最大値Wmaxとなる点
１００  普通のリング
【図１】
2011098159.tif 000003
【図２】
2011098159.tif 000004
【図３】
2011098159.tif 000005
【図４】
2011098159.tif 000006
【図５】
2011098159.tif 000007
【図６】
2011098159.tif 000008
【図７】
2011098159.tif 000009
【図８】
2011098159.tif 000010
【図９】
2011098159.tif 000011
【図１０】
2011098159.tif 000012